(57)【特許請求の範囲】
【請求項１】
軸受け部を有し、該軸受け部の外方に突出した操作軸の操作によって電気信号を出力する本体部と、操作軸の先端部には、前記操作軸の軸線方向に移動可能に、前記操作軸に挿通されたつまみ部とを備え、前記操作軸は、前記軸受け部に挿通された軸部と、前記本体部の外方に突出する前記軸部の先端部に被着配置された受け部材とを有し、前記受け部材の周りには弾性部材が配置され、該弾性部材は前記受け部材と前記つまみ部との間に介在されて前記つまみ部を前記受け部材の軸線方向の前方に押し出すように付勢しており、且つ、前記つまみ部が前記受け部材に抜け止めされていることを特徴とする電気部品。
【請求項２】
前記操作軸の前記受け部材は、前記軸部の軸線に直交する平面を備えた保持部を有し、該保持部と前記つまみ部との間にコイルばねからなる前記弾性部材を介在させたことを特徴とする請求項１記載の電気部品。
【請求項３】
前記受け部材の保持部は、複数個の孔を有し、前記つまみ部は、前記保持部の孔に挿通される係止部を有し、該係止部の端部が孔に挿通され、前記係止部の端部が保持部に係止されることを特徴とする請求項２記載の電気部品。
【請求項４】
前記つまみ部を、前記操作軸の先端部に軸線方向に移動可能に操作軸に挿通された摺動部材と、摺動部材に係止されたつまみとで構成したことを特徴とする請求項１記載の電気部品。
【請求項５】
前記受け部材と前記摺動部材との間に前記弾性部材を介在させたことを特徴とする請求項４記載の電気部品。
【請求項６】
前記操作軸の前記受け部材は、前記軸部の軸線に直交する平面を備えた保持部を有し、該保持部と前記摺動部材との間にコイルばねからなる弾性部材を介在させたことを特徴とする請求項５記載の電気部品。
【請求項７】
前記受け部材に抜け止め部材を保持し、該抜け止め部材と前記保持部との間に前記摺動部材と前記弾性部材を保持したことを特徴とする請求項６記載の電気部品。
【請求項８】
前記本体部には、前記操作軸の軸線方向へのプッシュ操作によって動作するプッシュスイッチが配置され、且つ、該プッシュスイッチの作動力に比較して弾性部材の付勢力の方が強い力に構成されていることを特徴とする請求項１乃至７のいずれかに記載の電気部品。
【請求項９】
前記軸部の先端側には、断面が略半円状の半円柱状部が形成されていると共に、前記受け部材は前記弾性部材が挿通される基部と、この基部の一方の端部から前記軸部の軸線方向に設けられた穴部とを有し、前記穴部に前記軸部の半円柱状部が圧入されて、前記軸部と前記受け部材とが一体化されていることを特徴とする請求項１乃至８のいずれかに記載の電気部品。
【発明の詳細な説明】
【０００１】
【発明の属する技術分野】
本発明は、電気部品に関し、特にプッシュスイッチ付き回転操作型可変抵抗器として好適な電気部品に関する。
【０００２】
【従来の技術】
従来の電気部品について図面を用いて説明する。
図１３は、従来の電気部品を示す一部を断面とした側面図である。
図１３に示すように、従来の電気部品３０は、所定の電気信号（例えば、抵抗値信号や、オン・オフ信号など）を出力する本体部３１と、本体部３１を操作するための操作軸３２と、操作軸３２に挿通されたつまみ部３３とで概略構成されている。
【０００３】
そして、本体部３１は、絶縁成形材料から成り、成形加工された略箱形の筐体部３１ａと、筐体部３１ａから外方（右方向）に突出し、金属材料から成る略円筒状の軸受け部３１ｂと、金属材料から成り、筐体部３１ａから外方（下方向）に突出する複数本（例えば、３本＋２本＝５本）の端子３１ｃとを有している。
また、筐体部３１ａの一方の端部側（例えば、軸受け部３１ｂ側）には、抵抗体（図示せず）やコモン電極（図示せず）や基板（図示せず）などから成るいわゆる公知の回転型の可変抵抗器３１ｄが配置され、他方の端部（例えば、軸受け部３１ｂの反対側）には、固定接点（図示せず）や可動接点（図示せず）などから成るいわゆる公知のプッシュ操作（押圧力）によって操作されるプッシュスイッチ３１ｅが配置されている。
【０００４】
なお、可変抵抗器３１ｄには、例えば、３本の端子３１ｃが配置され、また、プッシュスイッチ３１ｅには、例えば、２本の端子３１ｃが配置されている。
【０００５】
操作軸３２は、略円柱状で、前記軸受け部３１ｂに挿通される細径部３２ａと、細径部３２ａより太い径の太径部３２ｂと、太径部３２ｂの先端側に形成され、断面が略半円状の半円柱状部３２ｃとを有している。この操作軸３２の細径部３２ａは、軸受け部３１ｂに挿通された状態で、可変抵抗器３１ｄとプッシュスイッチ３１ｅとを操作することが出来るように筐体部３１ａ内に配置されている。
【０００６】
この状態のとき、可変抵抗器３１ｄは、操作軸３２の回動によって電気信号としての抵抗値信号を出力し、また、プッシュスイッチ３１ｅは、操作軸３２の軸線方向（矢印Ｂ方向）への所定の押圧力（ｆ１）、及び押圧力（ｆ１）の解除によって電気信号としてのオン・オフ信号を出力するように構成されている。
【０００７】
つまみ部３３は、絶縁成形材料から成り、成形加工され、略円筒状であって、一方の端部から前記操作軸３２の軸線方向に設けられた前記操作軸３２の太径部３２ｂが圧入される第１の穴部３３ａと、前記半円柱状部３２ｃが圧入される第２の穴部３３ｂとを有している。そして、このつまみ部３３の第１、第２の穴部３３ａ、３３ｂには、操作軸３２の太径部３２ｂと半円柱状部３２ｃとが挿通され、つまみ部３３と操作軸３２とは、一体化されている。
【０００８】
次に、上述の従来の電気部品の動作について説明する。
図１４は、従来の電気部品の動作を説明するための説明図である。
先ず、この電気部品３０のつまみ部３３を右回り、又は左回りに回動させると、つまみ部３３に挿通された操作軸３２が共に回動される。この操作軸３２の回動によって、本体部３１内に構成された可変抵抗器３１ｄが操作され、電気信号である抵抗値信号が端子３１ｃから出力される。
【０００９】
また、つまみ部３３を軸線方向（矢印Ｂ方向）に所定の押圧力（ｆ１）にて押圧（プッシュ操作）すると、この押圧力ｆ１によって、つまみ部３３に挿通された操作軸３２が共に押圧されて、操作軸３２が軸線方向にプッシュスイッチ３１ｅの軸線方向（矢印Ｃ方向）の自動復帰力に抗して移動（例えば、移動量が約１．５ｍｍ）される。この操作軸３２の矢印Ｂ方向への移動によって、プッシュスイッチ３１ｅが駆動されて、プッシュスイッチ３１ｅがオン動作をし、電気信号であるオン信号が端子３１ｃから出力される。
【００１０】
また、つまみ部３３への押圧力ｆ１を解除すると、操作軸３２とつまみ部３３とは、プッシュスイッチ３１ｅの自己復帰力によって元の位置に復帰し、プッシュスイッチ３１ｅは、オフとなる。
【００１１】
【発明が解決しようとする課題】
しかしながら、従来の電気部品では、ときとして、つまみ部３３の軸線方向に例えば、押圧力ｆ１以上の大きな（過大な）押圧力（ｆ１以上の押圧力）が加えられると、この大きな（過大な）押圧力は、操作軸３２を軸線方向に所定量だけ移動させるのみでなく、ときとしては、過大な押圧力のために操作軸３２やつまみ部３３が変形したり、電気部品の耐久性が劣ったり、また、本体部３１を構成するプッシュスイッチ３１ｅが破損したりするなどの問題があった。
【００１２】
本発明の電気部品は、上述の問題点を解決するもので、その目的は、本体部を操作する操作軸に一定の圧力を越える過大な押圧力が加わるのを防止出来て、従って、本体部の耐久性を向上させることが出来ると共に、本体部を構成するプッシュスイッチなどの破損を防止し易くすることにある。
【００１３】
【課題を解決するための手段】
本発明の電気部品は、軸受け部を有し、軸受け部の外方に突出した操作軸の操作によって電気信号を出力する本体部と、操作軸の先端部には、操作軸の軸線方向に移動可能に、操作軸に挿通されたつまみ部とを備え、操作軸は、軸受け部に挿通された軸部と、本体部の外方に突出する軸部の先端部に被着配置された受け部材とを有し、受け部材の周りには弾性部材が配置され、弾性部材は受け部材とつまみ部との間に介在されてつまみ部を受け部材の軸線方向の前方に押し出すように付勢しており、且つ、つまみ部が受け部材に抜け止めされていることである。
【００１４】
また、本発明の電気部品の操作軸の受け部材は、軸部の軸線に直交する平面を備えた保持部を有し、保持部とつまみ部との間にコイルばねからなる弾性部材を介在させたことである。
【００１５】
また、本発明の電気部品の受け部材の保持部は、複数個の孔を有し、つまみ部は、保持部の孔に挿通される係止部を有し、係止部の端部が孔に挿通され、係止部の端部が保持部に係止されることである。
【００１６】
また、本発明の電気部品のつまみ部を、操作軸の先端部に軸線方向に移動可能に操作軸に挿通された摺動部材と、摺動部材に係止されたつまみとで構成したことである。
【００１７】
また、本発明の電気部品の受け部材と摺動部材との間に弾性部材を介在させたことである。
【００１８】
また、本発明の電気部品の操作軸の受け部材は、軸部の軸線に直交する平面を備えた保持部を有し、保持部と摺動部材との間にコイルばねからなる弾性部材を介在させたことである。
【００１９】
また、本発明の電気部品の受け部材に抜け止め部材を保持し、抜け止め部材と保持部との間に摺動部材と弾性部材を保持したことである。
【００２０】
また、本発明の電気部品の本体部には、操作軸の軸線方向へのプッシュ操作によって動作するプッシュスイッチが配置され、且つ、プッシュスイッチの作動力に比較して弾性部材の付勢力の方が強い力に構成されていることである。
【００２１】
また、本発明の電気部品の軸部の先端側には、断面が略半円状の半円柱状部が形成されていると共に、受け部材は弾性部材が挿通される基部と、基部の一方の端部から軸部の軸線方向に設けられた穴部とを有し、穴部に軸部の半円柱状部が圧入されて、軸部と受け部材とが一体化されていることである。
【００２２】
【発明の実施の形態】
以下、本発明の電気部品について図面を用いて説明する。
図１は、本発明の電気部品の実施の形態を示す一部を断面とした側面図、図２は、本発明の電気部品の操作軸の受け部材とつまみ部と弾性部材との実施の形態を示す一部を断面とした側面図、図３は、図２の正面図、図４は、図２の分解斜視図である。
【００２３】
図１〜図４に示すように、本発明の電気部品１０は、所定の電気信号（例えば、抵抗値信号や、オン・オフ信号など）を出力する本体部１と、本体部１を操作するための操作軸２と、操作軸２に挿通されたつまみ部５と、本体部１とつまみ部５との間でつまみ部５を前方に押し出すように付勢する弾性部材６とで概略構成されている。
【００２４】
そして、本体部１は、絶縁成形材料から成り、成形加工された略箱形の筐体部１ａと、筐体部１ａから外方（右方向）に突出し、金属材料から成る略円筒状の軸受け部１ｂと、金属材料から成り、筐体部１ａから外方（下方向）に突出する複数本（例えば、３本＋２本＝５本）の端子１ｃとを有している。
また、筐体部１ａの一方の端部側内（例えば、軸受け部１ｂ側）には、抵抗体（図示せず）やコモン電極（図示せず）や基板（図示せず）などから成るいわゆる公知の回転型の可変抵抗器１ｄが配置され、他方の端部内（例えば、軸受け部１ｂの反対側）には、固定接点（図示せず）や可動接点（図示せず）などから成るいわゆる公知のプッシュ操作（押圧力）によって操作されるプッシュスイッチ１ｅが配置されている。
【００２５】
なお、可変抵抗器１ｄには、例えば、３本の端子１ｃが配置され、また、プッシュスイッチ１ｅには、例えば、２本の端子１ｃが配置されている。
【００２６】
操作軸２は、絶縁成形材料や金属材料などから成り、成形加工や切削加工などによって形成されている。そして、操作軸２は、軸受け部１ｂに挿通され、且つ軸受け部１ｂから軸受け部１ｂと同軸状に外方（右方向）に突出する略円柱状の軸部３と、軸部３の一方の端部（先端部側）が挿通され、該軸部３と一体化された受け部材４とを有する。この操作軸２の軸部３の他方の端部は、軸受け部１ｂに挿通された状態で、前記可変抵抗器１ｄと前記プッシュスイッチ１ｅとを操作することが出来るように筐体部１ａ内に配置されている。
【００２７】
この状態のとき、可変抵抗器１ｄは、操作軸２の回動によって電気信号としての抵抗値信号を出力し、また、プッシュスイッチ１ｅは、操作軸２の軸線方向（矢印Ｂ方向）への所定の押圧力（例えば、操作軸２の自動復帰力に抗する押圧力：ｆ１）の加圧、及び押圧力（ｆ１）の解除によって電気信号としてのオン・オフ信号を出力するように構成されている。
【００２８】
また、軸部３は、例えば、絶縁成形材料や金属材料から成り、成形加工や切削加工され、略円柱状の細径部３ａと、細径部３ａより太い径の太径部３ｂと、太径部３ｂの先端側に形成され、断面が略半円状の半円柱状部３ｃとを有し、細径部３ａが前記軸受け部１ｂに挿通され、細径部３ａの先端部は筐体部１ａ内に配置されている。
【００２９】
また、受け部材４は、例えば、絶縁成形材料から成り、成形加工され、略角柱状の基部４ａと、基部４ａの一方の端部から前記軸部３の軸線方向に設けられた穴部４ｂと、基部４ａの一方の端部側で、前記軸部３の軸線に直交する平面を備えた略円板状の保持部４ｃと、該保持部４ｃに複数個（例えば、２個）の矩形の孔４ｄと、基部４ａの周囲で、前記軸部３の軸線方向に設けられた複数本（例えば、４本）の凸条４ｅ（図３参照）とを備えている。
【００３０】
また、穴部４ｂは、前記太径部３ｂが圧入される第１の穴部４ｆと、前記半円柱状部３ｃが圧入される第２の穴部４ｇとを有している。この第１の穴部４ｆには太径部３ｂが、また、第２の穴部４ｇには半円柱状部３ｃが圧入され、よって、軸部３と受け部材４とが一体化されている。
また、保持部材４ｃの孔４ｄは、基部４ａを挟んで対向する位置に形成されている。
【００３１】
つまみ部５は、絶縁成形材料から成り、成形加工され、円弧状の表面壁５ｃと表面壁５ｃの周囲から表面壁５ｃに対して略直交して延設された側壁５ｄと表面壁５ｃと対向する位置に設けられた略円環状の裏面壁５ｅとを有し、裏面壁５ｅの中央部には、略矩形の凹部５ｆが形成された略円筒状の操作部５ａと、操作部５ａの裏面壁５ｅから外方（左方向）に突出する一対の係止部５ｂとを有する。また、凹部５ｆ内の内壁には、軸線方向に沿って、４本の溝部５ｈが形成されている。
【００３２】
また、一対の係止部５ｂは、前記裏面壁５ｅから外方に突出されており、一対の係止部５ｂの自由端には、スナップインによる係止をさせるための凸部５ｇが形成されている。
【００３３】
弾性部材６は、金属材料から成り、螺旋状であって、いわゆるコイルばねによって構成されている。
【００３４】
そして、前記つまみ部５と弾性部材６と受け部材４とは、先ず、受け部材４の基部４ａに弾性部材６が挿通され、また、この状態で、更に、受け部材４の基部４ａの各凸条４ｅをそれぞれ溝部５ｈに沿って挿入することにより、基部４ａがつまみ部５の凹部５ｆ内に収納される。また、この時、一対の係止部５ｂの凸部５ｇは、保持部４ｃの孔４ｄにスナップイン結合される。
【００３５】
そして、この状態では、前記コイルばねである弾性部材６は、受け部材４の保持部４ｃとつまみ部５の裏面壁５ｅとの間で、且つ、受け部材４の基部４ａの周りの凸条４ｅに保持されて弾圧された状態で配置されている。そして、この弾性部材６は、つまみ部５を軸線の前方（矢印Ｃ方向）に押し出すように所定の付勢力（ｆ２）にて付勢している。そして、この所定の付勢力：ｆ２は、前述のプッシュスイッチ１ｅをプッシュ操作するための所定の押圧力：ｆ１に比較して、強い力（ｆ１＜ｆ２）であるように構成されている。
【００３６】
よって、つまみ部５は、弾性部材６の弾性に抗しながら受け部材４の軸線方向（矢印Ｂ、及びＣ方向）に移動できるように構成されている。
【００３７】
なお、上述の実施の形態の電気部品１０では、筐体部１ａ内に、可変抵抗器とプッシュスイッチとを形成したものについて説明したが、これに限定されず、例えば、回転型のパルススイッチを形成したものであっても良く、また、回転型の電気部品に限定されず、スライド型の電気部品であっても良い。
【００３８】
次に、本発明の電気部品の動作について説明する。
図５は、本発明の電気部品の実施の形態の第１の動作を説明するための第１説明図、図６は、本発明の電気部品の実施の形態の第２の動作を説明するための第２説明図である。
【００３９】
先ず、この電気部品１０のつまみ部５を右回り、又は左回りに回動させると、つまみ部５の凹部５ｆに挿通された受け部材４の基部４ａが共に回動される。この受け部材４の回動によって受け部材４の穴部４ｂに挿通された軸部３が共に回動され、軸部３の回動によって、本体部１内に構成された可変抵抗器１ｄが操作され、電気信号である抵抗値信号が端子１ｃから出力される。
【００４０】
また、つまみ部５を軸線方向（矢印Ｂ方向）に第１の押圧力ｆ３（例えば、ｆ１＜ｆ３＜ｆ２である押圧力）にて押圧（プッシュ操作）すると、この第１の押圧力ｆ３によって、つまみ部５に挿通された操作軸２が共に押圧されて、操作軸２が軸線方向にプッシュスイッチ１ｅの軸線方向（矢印Ｃ方向）の自動復帰力ｆ１（抗力）に抗して移動（例えば、移動量が約１．５ｍｍ）される。この操作軸２の矢印Ｂ方向への移動によって、プッシュスイッチ１ｅが駆動されて、プッシュスイッチ１ｅがオン動作をし、電気信号であるオン信号が端子１ｃから出力される。
【００４１】
また、つまみ部５への第１の押圧力ｆ３を解除すると、操作軸２とつまみ部５とは、プッシュスイッチ１ｅの自己復帰力：ｆ１によって元の位置に復帰し、プッシュスイッチ１ｅは、オフとなる。
【００４２】
また、つまみ部５を軸線方向（矢印Ｂ方向）に第２の押圧力ｆ４（例えば、ｆ１＜ｆ２＜ｆ４である押圧力）にて押圧すると、この第２の押圧力ｆ４にて、先ず、前述と同様に、つまみ部５の矢印Ｂ方向への移動（例えば、移動量が約１．５ｍｍ）によって、操作軸２が矢印Ｂ方向に移動し、プッシュスイッチ１ｅが駆動（オン）される（図５参照）。このとき、軸部３の太径部３ｂの一方の端部は、本体部１の軸受け部１ｂの先端部に当接している。
【００４３】
次に、更に第２の押圧力ｆ４によって、つまみ部５を矢印Ｂ方向に押圧し続けると、この第２の押圧力ｆ４によって、つまみ部５が弾性部材６の付勢力ｆ２に抗して矢印Ｂ方向に移動する。このつまみ部５の矢印Ｂ方向への更なる移動（例えば、移動量が約６ｍｍ）は、受け部材４の基部４ａは移動することなく、つまみ部５のみが基部４ａの周囲を摺動することによって行われる（図６参照）。この状態のとき、プッシュスイッチ１ｅのオン動作は、維持されている。
【００４４】
次に、つまみ部５への矢印Ｂ方向の押圧力を解除すると、弾性部材６の付勢力ｆ２と、プッシュスイッチ１ｅの自動復帰力ｆ１とによって、つまみ部５が初期の位置まで戻るように移動する。
本発明の電気部品１０は、上述の如き動作を行うように構成されたものである。
【００４５】
なお、また、上述の実施の形態では、電気部品単体としての説明をしたが、この電気部品は、例えば、車載用の音響機器（例えば、カーステレオ装置など）の電源のオン・オフ操作や音量の調整などのために用いることが出来る。
ここで、この電気部品を音響機器の筐体内に配置した状態、及びその動作について説明する。
図７は、本発明の電気部品を音響機器の筐体内に配置した状態を説明するための説明図、図８は、本発明の電気部品を筐体内に配置した状態での動作を説明するための説明図である。
【００４６】
図７に示すように、この電気部品１０は、例えば、カーステレオ装置などの音響機器の筐体１５内に、プリント配線基板１６に電気的接続された状態で配置されている。この状態では、該筐体１５のパネル１５ａからほぼ前記つまみ部５のみが外方に突出した状態で配置されている。
【００４７】
この状態での電気部品１０の通常の動作は、パネル１５ａから突出したつまみ部５を押圧することにより、前述の第１説明図（図５参照）にての第１動作説明と同様で、プッシュスイッチ１ｅの自動復帰力ｆ１に抗するつまみ部５の移動（例えば、移動量が１．５ｍｍ）によって動作が行われる。このとき、つまみ部５は、常にパネル１５ａから外方に突出した状態で配置されている。
【００４８】
次に、図８を用いて、この電気部品の第２動作を説明する。
図８に示すように、この構成の音響機器では、音響機器の筐体１５のパネル１５ａ面側から何かがぶつかったときなどには、前記つまみ部５に過大な押圧力（ｆ２以上の）が加えられ、つまみ部５は、過大な押圧力によって受け部材４に対して更に、軸線方向に押圧され、筐体１５のパネル１５ａ内に収納（引っ込む）される。この状態では、つまみ部５には押圧力は加わらず、この過大な押圧力の一部は、パネル１５ａが確実に受けることになり、よって、電気部品の破損の防止が一層確実に行われることになる。
【００４９】
次に、本発明の電気部品の第２の実施の形態について図面を用いて説明する。
図９は、本発明の電気部品の第２の実施の形態を示す一部を断面とした側面図、図１０は、本発明の電気部品の操作軸の受け部材と摺動部材とつまみ部と弾性部材との第２の実施の形態を示す一部を断面とした側面図である。
なお、前述の第１の実施の形態の電気部品と同一構成は、同一符号を付与し、詳細な説明は、省略する。
【００５０】
図９に示すように、この電気部品２０は、所定の電気信号（例えば、抵抗値信号や、オン・オフ信号など）を出力する本体部１と、本体部１を操作するための操作軸７と、操作軸７の先端に挿通された摺動部材８、及び摺動部材８に係止されたつまみ９とからなるつまみ部Ｔと、本体部１と摺動部材８との間で摺動部材８とつまみ９とを前方に押し出すように付勢する弾性部材６とで概略構成されている。
【００５１】
操作軸７は、前記軸受け部１ｂに挿通され、且つ軸受け部１ｂから軸受け部１ｂと同軸状に外方に突出する略円柱状の軸部３と、該軸部３の一方の端部（先端部側）が挿通された受け部材１１とを有する。この軸部３の他方の端部は、軸受け部１ｂに挿通された状態で、可変抵抗器１ｄとプッシュスイッチ１ｅとを操作することが出来るように筐体部１ａ内に配置されている。
【００５２】
この状態のとき、可変抵抗器１ｄは、操作軸７の回動によって電気信号としての抵抗値信号を出力し、また、プッシュスイッチ１ｅは、操作軸７の軸線方向（矢印Ｂ方向）への所定の押圧力（ｆ１）によって電気信号としてのオン・オフ信号を出力するように構成されている。
【００５３】
また、受け部材１１は、例えば、絶縁成形材料から成り、成形加工され、略角柱状の基部１１ａと、基部１１ａの一方の端部から前記軸部３の軸線方向に設けられた穴部１１ｂと、基部１１ａの一方の端部で、前記軸部３の軸線に直交する平面を備えた略円板状の保持部１１ｃと、基部１１ａの他方の端部側の周囲に設けられた溝部１１ｄとを備えている。
【００５４】
また、この溝部１１ｄには、いわゆるＣ（シー）型ワッシャーなどの抜け止め部材１１ｅが係合されている。
また、穴部１１ｂは、前記軸部３の太径部３ｂが圧入される第１の穴部１１ｆと、前記半円柱状部３ｃが圧入される第２の穴部１１ｇとを有している。
【００５５】
摺動部材８は、絶縁成形材料から成り、成形加工され、略円環状の基部８ａと、基部８ａの中央部に設けられた略矩形の孔８ｂと、基部８ａの周囲に設けられた鍔部８ｃとを有している。この摺動部材８は、孔８ｂに前記受け部材１１の基部１１ａが挿通され、この状態で、前記抜け止め部材１１ｅにて、摺動部材８が受け部材１１から抜け落ちることなく配置されている。また、摺動部材８と受け部材１１の保持部１１ｃとの間であって、受け部材１１の周囲には、前記弾性部材６が配置され、この弾性部材６によって、摺動部材８が前方に押し出されるように付勢されている。
【００５６】
つまみ部９は、絶縁成形材料から成り、成形加工され、略キャップ状であって、円弧状の表面壁９ａと、表面壁９ａの周囲から表面壁９ａに対して略直交して延設された側壁９ｂと、側壁９ｂの開放端側の内壁に設けられた凹部９ｃとを有している。
【００５７】
このつまみ部９の凹部９ｃには、摺動部材８の鍔部８ｃが係合され、この係合にてつまみ部９と摺動部材８とが一体化されている。このことから、前記弾性部材６によって、つまみ部９が前方に押し出されるように所定の付勢力（ｆ２）にて付勢されている。この所定の付勢力：ｆ２は、前述と同様にプッシュスイッチ１ｅを操作するための所定の押圧力：ｆ１に比較して、強い力（ｆ１＜ｆ２）であるように構成されている。
【００５９】
次に、第２の実施の形態の電気部品の動作について説明する。
図１１は、電気部品の第２の実施の形態の第１の動作を説明するための第１説明図、図１２は、電気部品の第２の実施の形態の第２の動作を説明するための第２説明図である。
【００６０】
先ず、この電気部品２０のつまみ部９を右回り、又は左回りに回動させると、つまみ部９が係合している摺動部材８が共に回動される。この摺動部材８の回動によって受け部材１１が共に回動され、この受け部材１１の回動によって受け部材１１の穴部１１ｂに挿通された軸部３が共に回動され、軸部３の回動によって、本体部１内に構成された可変抵抗器１ｄが操作され、電気信号である抵抗値信号が端子１ｃから出力される。
【００６１】
また、つまみ部９を軸線方向（矢印Ｂ方向）に第１の押圧力ｆ３（例えば、ｆ１＜ｆ３＜ｆ２である押圧力）にて押圧すると、この第１の押圧力ｆ３によって、つまみ部９に係止された摺動部材８と操作軸７（軸部３と受け部材１１）とが共に押圧されて、操作軸７が軸線方向（矢印Ｂ方向）にプッシュスイッチ１ｅの軸線方向（矢印Ｃ方向）の抗力（自動復帰力）：ｆ１に抗して移動される。この操作軸７の矢印Ｂ方向への移動によって、プッシュスイッチ１ｅが駆動されて、プッシュスイッチ１ｅがオン動作をし、電気信号であるオン信号が端子１ｃから出力される。
【００６２】
また、つまみ部９への第１の押圧力ｆ３を解除すると、操作軸７と摺動部材８とつまみ部９とは、プッシュスイッチ１ｅの抗力：ｆ１によって元の位置に復帰し、プッシュスイッチ１ｅは、オフとなる。
【００６３】
また、つまみ部９を軸線方向（矢印Ｂ方向）に第２の押圧力ｆ４（例えば、ｆ１＜ｆ２＜ｆ４である押圧力）にて押圧すると、この第２の押圧力ｆ４にて、先ず、前述と同様に、つまみ部９と摺動部材８との矢印Ｂ方向への移動によって、操作軸７が矢印Ｂ方向に移動し、プッシュスイッチ１ｅが駆動（オン）される（図１１参照）。このとき、軸部３の太径部３ｂの一方の端部は、本体部１の軸受け部１ｂの先端部に当接している。
【００６４】
次に、更に第２の押圧力ｆ４によって、つまみ部９を矢印Ｂ方向に押圧し続けると、この第２の押圧力ｆ４によって、つまみ部９と摺動部材８とが弾性部材６の付勢力ｆ２に抗して矢印Ｂ方向に移動する。このつまみ部９と摺動部材８との矢印Ｂ方向への更なる移動は、受け部材１１の基部１１ａは移動することなく、つまみ部９と摺動部材８とが基部１１ａの周囲を摺動することによって行われる（図１２参照）。この状態のとき、プッシュスイッチ１ｅのオン動作は、維持されている。
【００６５】
次に、つまみ部９への矢印Ｂ方向の押圧力を解除すると、先ず、弾性部材６の付勢力ｆ２と、プッシュスイッチ１ｅの自動復帰力ｆ１とによって、つまみ部９と摺動部材８とが初期の位置まで戻るように移動する。
本発明の電気部品２０は、上述の如き動作を行うように構成されたものである。
【００６６】
【発明の効果】
以上のように本発明の電気部品は、本体部とつまみ部との間でつまみ部を前方に押し出すように付勢する弾性部材が操作軸の周りに配置されたことから、つまみ部に弾性部材の付勢力よりも大きな、過大な押圧力が加えられたときには、つまみ部のみが軸線方向に移動して、この過大な押圧力を吸収して、本体部や操作軸やつまみ部などの破損を防止でき、また、耐久性に優れた電気部品を提供出来るという効果を奏する。
【００６７】
また、本発明の電気部品の操作軸は、軸部と、軸部の先端部に被着配置された受け部材とを有し、受け部材とつまみ部との間に弾性部材を介在させたことから、受け部材によって、弾性部材を受ける形状が容易に形成でき、且つ、弾性部材を確実に受けることが出来、よって、操作が確実で安価な電気部品を提供できる。
【００６８】
また、本発明の電気部品の操作軸の受け部材は、軸部の軸線に直交する平面を備えた保持部を有し、保持部とつまみ部との間にコイルばねからなる弾性部材を介在させたことから、弾性部材をコイルばねによって形成したので、コイルばねを操作軸の周りに配置するのみでコイルばねの保持が容易で、コイルばねによって付勢されたつまみ部の動作が確実で、また、安価な電気部品を提供できる。
【００６９】
また、本発明の電気部品の受け部材の保持部は、孔を有し、つまみ部の係止部の端部が孔に挿通され、係止部の端部が保持部に係止されることから、孔と係止部とでつまみ部の抜け防止構造が容易に出来、安価な電気部品を提供できる。
【００７０】
また、本発明の電気部品のつまみ部を、操作軸の先端部に軸線方向に移動可能に操作軸に挿通された摺動部材と、摺動部材に係止されたつまみとで構成したことから、つまみ部に弾性部材の付勢力よりも大きな、過大な押圧力が加えられたときには、つまみ部が軸線方向に移動して、この過大な押圧力を吸収して、本体部の破損を防止できるという効果を奏する。
また、つまみを、所望に応じて取り替えることができるので、生産性に優れた電気部品を提供できる。
【００７１】
また、本発明の電気部品の操作軸は、軸部と軸部の先端部に被着配置された受け部材とを有し、該受け部材と摺動部材との間に弾性部材を介在させたことから、受け部材によって、弾性部材を受ける形状が容易に形成でき、且つ、弾性部材を確実に受けることが出来、よって、操作が確実で安価な電気部品を提供できる。
【００７２】
また、本発明の電気部品の操作軸の受け部材は、軸部の軸線に直交する平面を備えた保持部を有し、保持部と摺動部材との間にコイルばねからなる弾性部材を介在させたことから、弾性部材をコイルばねによって形成したので、コイルばねを操作軸の周りに配置するのみでコイルばねの保持が容易で、コイルばねによって付勢されたつまみ部の動作が確実で、また、安価な電気部品を提供できる。
【００７３】
また、本発明の電気部品の受け部材に抜け止め部材を保持し、該抜け止め部材と保持部との間に摺動部材と前記弾性部材を保持したことから、抜け止め部材によって、つまみ部の抜け防止構造が容易にでき、安価な電気部品を提供できる。
【００７４】
また、本発明の電気部品の本体部には、操作軸の軸線方向へのプッシュ操作によって動作するプッシュスイッチが配置され、且つ、該プッシュスイッチの作動力に比較して弾性部材の付勢力の方が強い力に構成されていることから、つまみ部に弾性部材の付勢力よりも大きな、過大な押圧力が加えられたときのみに、つまみ部が軸線方向にプッシュスイッチのプッシュ操作の移動よりも、更に移動して、この過大な押圧力を吸収して、プッシュスイッチの破損を防止できるという効果を奏する。
【図面の簡単な説明】
【図１】本発明の電気部品の実施の形態を示す一部を断面とした側面図である。
【図２】本発明の電気部品の操作軸の受け部材とつまみ部と弾性部材との実施の形態を示す一部を断面とした側面図である。
【図３】図２の正面図である。
【図４】図２の分解斜視図である。
【図５】本発明の電気部品の実施の形態の第１の動作を説明するための第１説明図である。
【図６】本発明の電気部品の実施の形態の第２の動作を説明するための第２説明図である。
【図７】本発明の電気部品を筐体内に配置した状態を説明するための説明図である。
【図８】本発明の電気部品を筐体内に配置した状態での動作を説明するための説明図である。
【図９】本発明の電気部品の第２の実施の形態を示す一部を断面とした側面図である。
【図１０】本発明の電気部品の操作軸の受け部材と摺動部材とつまみ部と弾性部材との第２の実施の形態を示す一部を断面とした側面図である。
【図１１】本発明の第２の実施の形態の第１の動作を説明するための第１説明図である。
【図１２】本発明の第２の実施の形態の第２の動作を説明するための第２説明図である。
【図１３】従来の電気部品を示す一部を断面とした側面図である。
【図１４】従来の電気部品の動作を説明するための説明図である。
【符号の説明】
１    本体部
１ａ  筐体部
１ｂ  軸受け部
１ｄ  可変抵抗器
１ｅ  プッシュスイッチ
２    操作軸
３    軸部
４    受け部材
４ａ  基部
４ｃ  保持部
４ｄ  孔
５    つまみ部
５ｂ  係止部
６    弾性部材
８    摺動部材
９    つまみ部
１１  受け部材
１１ｃ  保持部
１５  筐体
１５ａ  パネル
【図１】
0003775948.tif 000002
【図２】
0003775948.tif 000003
【図３】
0003775948.tif 000004
【図４】
0003775948.tif 000005
【図５】
0003775948.tif 000006
【図６】
0003775948.tif 000007
【図７】
0003775948.tif 000008
【図８】
0003775948.tif 000009
【図９】
0003775948.tif 000010
【図１０】
0003775948.tif 000011
【図１１】
0003775948.tif 000012
【図１２】
0003775948.tif 000013
【図１３】
0003775948.tif 000014
【図１４】
0003775948.tif 000015